(57)【特許請求の範囲】
【請求項１】
筐体本体が載置される本体基台と、
この本体基台に連結され、前記筐体本体の外側に増設された拡張部を支持する拡張基台とを備え、
この拡張基台は、その片側のみを本体基台の側面に固定することにより、拡張基台の下端と前記本体基台が固定される床面との間に空間を持たせた状態で本体基台に取付けられており、この拡張基台は、複数の部材を枠状に組み合わせて構成されており、その内部空間を本体基台の内部空間に対応させることにより、これらの両空間の間に配線を挿通可能としたことを特徴とする電気電子機器収納用箱の基台増設構造。
【請求項２】
前記拡張基台は、複数の部材が本体基台に接するよう枠状に形成されるとともに、これら本体基台に接する複数の部材には、それぞれ取付部を形成したことを特徴とする請求項１記載の電気電子機器収納用箱の基台増設構造。
【請求項３】
前記拡張基台は、本体基台から離れる方向に向かって、その下端と前記床面との空間が徐々に大きくなるよう形成されていることを特徴とする請求項１記載の電気電子機器収納用箱の基台増設構造。
【発明の詳細な説明】
【技術分野】
【０００１】
本発明は、電気電子機器収納用箱が搭載される基台の増設構造に関するものである。
【背景技術】
【０００２】
電気電子機器収納用箱を搭載するための基台は、略ロ字状の基礎フレームを４本の固定脚部により支持させた基本構造を有しており、また筐体本体が載置される基本基台と、この基本基台に連結される増設基台とにより構成されるものがある（特許文献１）。この増設基台は、例えばコンセントバー等を搭載する拡張フレーム等を筐体本体に接続した際に、この拡張フレームを支持するものとして利用される。
【０００３】
しかしながら、前記の増設基台は基本基台と同様に固定脚部を備えていることから、例えば増設基台の設置予定箇所が既に配線通路として利用されていた場合には、ケーブルの存在により固定脚部の下端に設けられたアンカーを固定することができず、結果、増設基台を設けることができないという問題があった。
【０００４】
また、増設基台を連結せずに、拡張部を支持可能な大型の基本基台に交換する方法も考え得るが、斯かる場合は基本基台と筐体本体とを一旦取外す必要があるため作業性が悪いという問題がある。
【先行技術文献】
【特許文献】
【０００５】
【特許文献１】特許第４４４２８７４号公報
【発明の概要】
【発明が解決しようとする課題】
【０００６】
本発明の目的は前記した従来の問題点を解決し、設置箇所の状況に関わらず増設可能な電気電子機器収納用箱の基台増設構造を提供することである。
【課題を解決するための手段】
【０００７】
上記課題を解決するためになされた本発明は、筐体本体が載置される本体基台と、この本体基台に連結され、前記筐体本体の外側に増設された拡張部を支持する拡張基台とを備え、この拡張基台は、その片側のみを本体基台の側面に固定することにより、拡張基台の下端と前記本体基台が固定される床面との間に空間を持たせた状態で本体基台に取付けられており、この拡張基台は、複数の部材を枠状に組み合わせて構成されており、その内部空間を本体基台の内部空間に対応させることにより、これらの両空間の間に配線を挿通可能としたことを特徴とするものである。
【０００８】
【０００９】
請求項２記載の発明は、請求項１記載の電気電子機器収納用箱の基台増設構造において、前記拡張基台は、複数の部材が本体基台に接するよう枠状に形成されるとともに、これら本体基台に接する複数の部材には、それぞれ取付部を形成したことを特徴とするものである。
【００１０】
請求項３記載の発明は、請求項１記載の電気電子機器収納用箱の基台増設構造において、前記拡張基台は、本体基台から離れる方向に向かって、その下端と前記床面との空間が徐々に大きくなるよう形成されていることを特徴とするものである。
【００１１】
【発明の効果】
【００１２】
本発明に係る電気電子機器収納用箱の基台増設構造は、拡張基台の下端と本体基台が固定される床面との間に空間を持たせた状態で、拡張基台の片側のみを本体基台の側面に固定することにより、本体基台に取付けるものとした。このように、拡張基台の下端と床面との間に空間を持たせる構造とすることにより、拡張基台が床面から浮いた状態で固定されるため、拡張基台に従来のような固定脚部を設ける必要がなくなり、設置予定箇所が配線通路等であったとしても拡張基台を増設することができるものとなる。
【００１３】
また本発明によれば、複数の部材を枠状に組み合わせて拡張基台を構成するものとすることで、枠内の空間を配線空間として利用することができ、その内部空間を本体基台の内部空間に対応させることにより、これらの両空間の間に配線を挿通可能としたので、拡張部への配線が容易となる。
【００１４】
請求項２に係る発明によれば、複数の部材が本体基台に接するように拡張基台を枠状に形成し、さらにこれら本体基台に接する複数の部材にそれぞれ取付部を形成することで、拡張基台を本体基台に対して複数点で固定することができ、拡張基台の固定強度を高めることができるものとなる。
【００１５】
請求項３に係る発明によれば、拡張基台は、本体基台から離れる方向に向かってその下端と床面との空間が徐々に大きくなるよう形成するものとしている。これにより、床面と拡張基台の外側端部との間に充分なスペースを確保できるものとなるため、拡張基台の下方における配線作業性が向上する。また、拡張基台を軽量化することも可能となる。
【図面の簡単な説明】
【００１６】
【図１】本実施形態を示す全体斜視図である。
【図２】本体基台と拡張基台を示す斜視図である。
【図３】図２の分解図である。
【図４】図２を異なる角度からみた斜視図である。
【図５】拡張基台を示す斜視図である。
【図６】図５の分解図である。
【発明を実施するための形態】
【００１７】
以下に本発明の好ましい実施形態を示す。なお、本明細書中の上下、左右、前後方向は図１に示す方向を指すものとする。また、本明細中の床面１０とは、本体基台１が固定される面を指し、床パネルを組み合わせて構成されるアクセスフロアよりも下方に位置するものである。
図１において、本体基台１は略ロ字状の基礎フレーム２を４本の固定脚部３により支持させたものであり、その上方には図示しないサーバ等の電気電子機器を収納した筐体本体４が載置される。また、この筐体本体４の背面側の外側位置には、コンセントバーや配線保持部材等を設けるための拡張部である拡張フレーム５が取付けられる。なお、拡張フレーム５は筐体本体４の前面側に設けるものとしても良い。また、拡張部は本実施形態のような拡張フレーム５に限定されず、本体基台１よりも外側にはみ出した箇所を拡張部とみなしても差し支えない。そしてこの拡張フレーム５は、拡張フレーム５の取付位置に対応して本体基台１に着脱自在に連結された拡張基台６によって支持されている。
【００１８】
図２乃至図４には、本体基台１及び拡張基台６の詳細を示す。
図２のように、本体基台１は、断面略Ｌ字形状の複数のフレームを枠状に溶接した基礎フレーム２と、前述した４本の固定脚部３とを有しており、また固定脚部３間に渡って補強金具７が設けられている。この補強金具７を設けることにより、本体基台１内部の配線を被覆することができるものとしている。また、基礎フレーム２及び固定脚部３の側面には図３のように複数の取付孔８が形成されている。この取付孔８は、拡張基台６や同仕様の本体基台１を連結する際に使用され、またその他にもアクセスフロアの床パネルを固定するための図示しないアングル部材等を取付ける際に使用される。さらに、基礎フレーム２の上面には、筐体本体４を固定するための筐体本体取付孔９が形成されている。そして各固定脚部３の下端には、床面１０に固定されるアンカー取付部１１が設けられている。
【００１９】
ここで、図２に示すように、拡張基台６の下端と本体基台１が固定される床面１０との間には空間を持たせた状態で、拡張基台６を本体基台１に取付けるものとしている。即ち、拡張基台６が床面１０から浮いた状態で固定されるものとしており、これにより、拡張基台６には従来のような固定脚部を設ける必要がなくなるため、設置予定箇所が配線通路等であったとしても拡張基台６を増設することができるものとなる。
【００２０】
図５及び図６には拡張基台６の詳細を示す。拡張基台６は、複数の部材を組み合わせて構成され、より詳細には、前板部１２、後板部１３、２枚の左右板部１４を枠状に組み合わせて溶接されることにより構成されている。なお、これらの板部は各端部がそれぞれ内側に折り曲げられており、これにより拡張基台６に強度を持たせるものとしている。このように、枠状に拡張基台６を構成するものとすることで、枠内の空間を配線空間として利用することができ、これにより拡張フレーム５内部への直下からの配線が可能となる。また拡張基台６の上面には拡張フレーム５が載置されることから、緩衝材としての緩衝部材１５が設けられている。なお、本実施形態では拡張基台６の上面に拡張フレーム５を固定するための取付孔は形成していないが、拡張フレーム５の固定強度を高めるために拡張フレーム取付孔を形成しても差し支えない。
【００２１】
また図５に示すように、前板部１２及び左右板部１４がそれぞれ基本基台１に接するようにして拡張基台６が枠状に構成されており、さらに前板部１２及び左右板部１４には、それぞれ取付部としての取付孔１６が形成されている。そして、これら複数の取付孔１６と本体基台１に形成された複数の取付孔８とに、それぞれ図３中のボルト１７を挿通し、図４のようにナット１８による固定を行うことで、複数点で拡張基台６を本体基台１に固定するものとしている。このように前板部１２及び左右板部１４を複数点で固定することにより、拡張基台６の固定強度を高めることができるものとなる。また、複数の取付孔１６が上下左右方向にずらして形成されているため、本体基台１に対する拡張基台６の固定強度がより高いものとなる。
【００２２】
さらに、左右板部１４の下方を、本体基台１から離れる方向、即ち後方に向かうに連れて徐々に傾斜させた形状とすることで、拡張基台６の下端と床面１０との空間が後方に向かって徐々に大きくなる構造としている。これにより、床面１０と拡張基台６の外側端部との間に充分なスペースを確保できるものとなるため、拡張基台６の下方における配線作業性が向上する。さらに、拡張基台６を軽量化することもできる。
【００２３】
また、図５に示すように、補強金具７に形成した複数の孔部２１に配線を通すことや、補強金具７に沿った配線を、孔部２１に通過させた図示しない結束バンドにより固定することができる。さらに、前板部１２と左右板部１４とにより囲われる空間１９ａを、図３に示す基礎フレーム２、固定脚部３、補強金具７により囲われる空間１９ｂに対応させることで、両空間の間に配線を通すこともできる。
【００２４】
【符号の説明】
【００２５】
１  本体基台
２  基礎フレーム
３  固定脚部
４  筐体本体
５  拡張フレーム
６  拡張基台
７  補強金具
８  取付孔
９  筐体本体取付孔
１０  床面
１１  アンカー取付部
１２  前板部
１３  後板部
１４  左右板部
１５  緩衝部材
１６  取付孔
１７  ボルト
１８  ナット
１９  空間
２１  孔部
【図１】
0006704634.tif 000002
【図２】
0006704634.tif 000003
【図３】
0006704634.tif 000004
【図４】
0006704634.tif 000005
【図５】
0006704634.tif 000006
【図６】
0006704634.tif 000007